【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
チューブを患者インターフェース又は皮膚パッチに固定するための固定システムであって、
ホルダであって、前記ホルダのインターフェースサイドが、前記患者インターフェース又は前記皮膚パッチに取付け可能であり、前記ホルダが、前記チューブを受け入れて前記チューブを前記患者インターフェース又は前記皮膚パッチに固定するための少なくとも第１のチャネル又は凹部を含む、ホルダ
を含む固定システム。
【請求項２】
前記ホルダの前記インターフェースサイドは、前記ホルダを前記患者インターフェース又は前記皮膚パッチと接合するための接着剤を備える、請求項１に記載の固定システム。
【請求項３】
前記ホルダの前記インターフェースサイドは、前記ホルダを前記患者インターフェース又は前記皮膚パッチ及び前記チューブと接合するための接着剤を備える、請求項１又は２に記載の固定システム。
【請求項４】
前記ホルダと前記患者インターフェース又は前記皮膚パッチとの間にフック・アンド・ループ材料が提供される、請求項１に記載の固定システム。
【請求項５】
前記ホルダが軟質の又は曲げ易い材料から形成される、請求項１〜４のいずれか一項に記載の固定システム。
【請求項６】
前記ホルダが、前記患者インターフェース又は前記皮膚パッチに挟み付けるため剛性材料から形成される、請求項１〜４のいずれか一項に記載の固定システム。
【請求項７】
前記ホルダが雄若しくは雌部品又は雄若しくは雌特徴の一つを含み、前記患者インターフェース又は前記皮膚パッチが前記雄若しくは雌部品又は雄若しくは雌特徴と相補的なもう一方を含み、前記雄若しくは雌部品又は雄若しくは雌特徴が、前記ホルダを前記患者インターフェース又は前記皮膚パッチに固定するためのものである、請求項１〜６のいずれか一項に記載の固定システム。
【請求項８】
前記第１のチャネル又は凹部が、前記チューブを受け入れるための開口を含む、請求項１〜７のいずれか一項に記載の固定システム。
【請求項９】
前記凹部が、前記チューブをしっかりと把持するため前記チューブの直径と同程度か又はそれより僅かに小さい横寸法を有する、請求項８に記載の固定システム。
【請求項１０】
前記チューブと接触する前記凹部の表面が、ゴム材料又は高表面摩擦を有する材料から形成される、請求項８又は９に記載の固定システム。
【請求項１１】
前記ホルダが、前記ホルダを前記チューブに結合するため前記チューブの周りに巻き付ける材料を含む、請求項１〜１０のいずれか一項に記載の固定システム。
【請求項１２】
前記材料が、前記材料を前記チューブの周りに及びそれ自体に重ねて巻き付けることにより接触させるための接着剤を片側又は両側に有するストラップを含む、請求項１１に記載の固定システム。
【請求項１３】
前記ホルダが、前記患者インターフェース又は前記皮膚パッチに取付けられており、又は取付け可能である、請求項１〜１２のいずれか一項に記載の固定システム。
【請求項１４】
前記ホルダが本体を含み、前記本体が、前記チューブとの連結、保定又は取付け用の前記第１のチャネル又は凹部と、前記患者インターフェースとの連結、保定又は取付け用の少なくとも１つの他のチャネル又は凹部とを含む、請求項１〜１３のいずれか一項に記載の固定システム。
【請求項１５】
前記第１のチャネル又は凹部が、前記チューブを受入れ自在な前記本体の成形領域である、請求項１４に記載の固定システム。
【請求項１６】
前記少なくとも１つの他のチャネル又は凹部が、前記患者インターフェースの一部分を受入れ自在な前記本体の成形領域である、請求項１４又は１５に記載の固定システム。
【請求項１７】
前記第１のチャネル又は凹部が、前記少なくとも１つの他のチャネル又は凹部に対して実質的に直交するように延在する、請求項１４〜１６のいずれか一項に記載の固定システム。
【請求項１８】
前記少なくとももう一つのチャネル又は凹部が、前記患者インターフェースを把持するために、前記少なくとももう一つのチャネル又は凹部が無応力又は無変形状態にあるときに前記患者インターフェースの一部分の寸法より小さい内部寸法を有し、且つ前記少なくとももう一つのチャネル又は凹部が、前記少なくとももう一つのチャネル又は凹部の前記内部寸法を前記患者インターフェースの一部分の寸法よりも大きくなるよう弾性変形自在であり、前記一部分の把持を離すことにより、前記患者インターフェースと前記ホルダとの間が調整される、請求項１４〜１７のいずれか一項に記載の固定システム。
【請求項１９】
前記第１のチャネル又は凹部が、前記チューブの把持のため、前記第１のチャネル又は凹部が無変形状態にあるとき前記チューブの直径より小さい内部寸法を有し、前記第１のチャネル又は凹部は、前記チューブと前記第１のチャネル又は凹部の調整のために前記チューブの把持を離した変形状態にあるときに、前記第１のチャネル又は凹部の内部寸法が前記チューブの内部寸法よりも大きくなるように弾性変形自在である、請求項１〜１８のいずれか一項に記載の固定システム。
【請求項２０】
前記本体が、前記チューブとの連結、保定又は取付け用の少なくとも１つの追加のチャネル又は凹部を含む、請求項１〜１９のいずれか一項に記載の固定システム。
【請求項２１】
前記チューブは、栄養チューブである、請求項１〜２０のいずれか一項に記載の固定システム。
【請求項２２】
チューブ及び患者インターフェースを患者顔面に固定するための固定システムであって、
患者サイドとインターフェースサイドとを有する皮膚パッチであって、前記皮膚パッチの前記患者サイドが患者の顔に取付け可能であり、前記チューブの周りに巻き付けることにより前記チューブを前記皮膚パッチに固着するため前記チューブに取付け可能なフラップを含む皮膚パッチと、
前記患者インターフェースを前記皮膚パッチに取外し自在に固定するための二部品型取外し自在連結装置であって、前記皮膚パッチの前記インターフェースサイドは、前記二部品型取外し自在連結装置の第１の部品、及び前記二部品型取外し自在連結装置の相補的な第２の部品を備える前記患者インターフェースのバッキング部分を備える二部品型取外し自在連結装置と
を含む固定システム。
【請求項２３】
前記フラップ及び前記皮膚パッチの一部分に被せて固定するためのカバーパッチを含む、請求項２２に記載の固定システム。
【請求項２４】
前記二部品型取外し自在連結装置の前記第１の部品がフック又はループ材料を含み、且つ前記二部品型取外し自在連結装置の前記第２の部品が前記フック又はループ材料の他方を含む、請求項２２又は２３に記載の固定システム。
【請求項２５】
前記フラップが二つ又は三つのフラップ部分に分かれている、請求項２２〜２４のいずれか一項に記載の固定システム。
【請求項２６】
前記フラップが３つのフラップ部分に分かれており、第１のフラップ部分が、患者の鼻の少なくとも中隔領域に連結するための前記フラップの略中央部分であり、第２のフラップ部分は前記第１のフラップ部分に実質的に隣接しており、前記第２のフラップ部分が、少なくとも患者の鼻領域の鼻腔又は鼻孔の周囲又は近傍の領域に連結するためのものであり、且つ第３のフラップ部分は前記第１のフラップ部分に実質的に隣接しており、前記チューブに連結するためのものである、請求項２２〜２５のいずれか一項に記載の固定システム。
【請求項２７】
前記チューブに連結された前記第３のフラップ部分が、前記チューブの周りに巻き付けることにより前記チューブに連結可能である、請求項２６に記載の固定システム。
【請求項２８】
前記フラップが、前記患者又は前記チューブに連結するための接着剤を含む、請求項２２〜２７のいずれか一項に記載の固定システム。
【請求項２９】
前記接着剤が感圧接着剤である、請求項２８に記載の固定システム。
【請求項３０】
前記フラップが、患者インターフェース及び前記チューブの両方を患者において動作位置に固定又は保定する、請求項２２〜２９のいずれか一項に記載の固定システム。
【請求項３１】
前記チューブが栄養チューブである、請求項２２〜３０のいずれか一項に記載の固定システム。